(57)【要約】【課題】肩ベルトを容易に着脱自在として、ユーザー側が容易に肩ベルトの交換を行うことを可能にしたスクールバッグを提供すること。【解決手段】底板３０１と底板３０１の両端部に上方向へ連設させた一対の大マチ３０２とで形成した胴部３と、胴部３の背面側に取り付けた背板４と、胴部３の正面側に取り付けた前板５とにより構成される上部を開口とした本体部２と、本体部２に前記上部開口を開閉自在に取り付けた蓋６と、本体部２における背面側に着脱自在に取り付けた一対の肩ベルト１０を備え、背板４の外側面における上方部分及び底板２の外側面のそれぞれに１又は複数個の係止突起９を突設させたプレート８を具備し、肩ベルト１０のそれぞれの両端部に前記係止突起９に係止可能な係止具１２を備え、係止突起９に係止具１２を係止することにより、肩ベルト１０を本体部２対して着脱自在とした。【選択図】図１
2008036091.tif 000002
【特許請求の範囲】
【請求項１】
底板（３０１）と該底板（３０１）の両端部に上方向へ連設させた一対の大マチ（３０２）とで形成した胴部（３）と、該胴部（３）の背面側に取り付けた背板（４）と、前記胴部（３）の正面側に取り付けた前板とにより構成される、上部を開口とした本体部（２）と、
該本体部（２）に、前記開口を開閉可能に取り付けた蓋（６）と、
前記本体部（２）における背面側に着脱自在に取り付けた一対の肩ベルト（１０）と、を備えるスクールバッグであって、
前記背板（４）の外側面における上方部分、及び前記底板（３０１）の外側面のそれぞれには、１又は複数個の係止突起（９）を突設させたプレート（８）を具備しており、
前記一対の肩ベルト（１０）はそれぞれ、その両端部に、前記係止突起（９）に係止可能な係止具（１２）を備え、
前記係止突起（９）に前記係止具（１２）を係止することにより、前記肩ベルト（１０）を本体部（２）対して着脱自在とした、ことを特徴とするスクールバッグ。
【請求項２】
前記係止突起（９）に係止可能な係止具（１２）を両端部に備えたフック（１４）を、前記肩ベルト（１０）とともに本体部（２）対して着脱自在に装着したことを特徴とする請求項１に記載のスクールバッグ。
【発明の詳細な説明】
【技術分野】
【０００１】
本発明は、スクールバッグに係り、より詳しくは、本体部に連結した肩ベルトを容易に取り外し可能にしたことを特徴とするスクールバッグに関する。
【背景技術】
【０００２】
周知のように、ランドセルに代表されるスクールバッグ等の背負い鞄は、一般的に、教科書等を収容可能とした本体部と、この本体部の背面側に装着された一対の肩ベルトと、前記本体部の上部開口を開閉可能な配置で本体部に取り付けられた蓋とを具備して構成されており、前記肩ベルトは一般的に、修理、交換が可能なように着脱自在とされている。
【０００３】
ここで、従来の肩ベルトについて説明すると、図７は従来の肩ベルト３１の正面図であり、従来の肩ベルト３１は、ランドセルの背板側に連結される上ベルト３２と、先端部に前記上ベルト３２が連結されるとともに、下端部はランドセルの底板側に連結される下ベルト３３により構成されている。
【０００４】
即ち、図７において、上ベルト３２の上端には連結具３４が装着されており、一方、ランドセルの背板上部には、図８に示すような、前記連結具３４が連結される連結環３６を具備した背環３５が装着されており、上ベルト３２の連結具３４を背環３５の連結環３６に連結することで、上ベルト３２が背板側に連結されている。
【０００５】
また、下ベルト３３は、ピン３３０２を具備した連結金具３３０１を上端に有しており、ピン３３０２を前記上ベルト３２に形成したベルト孔３２０１に通すことで上ベルト３２に連結可能にしている。
【０００６】
更に、ランドセルの底板の外側には、図９に符号３７で示すようなダルマ環が具備されているとともに、下ベルト３３の下端には前記ダルマ環３７に連結される連結環３３０３が具備されており、連結環３２０３をダルマ環３７に連結することで、下ベルト３３は底板側に連結されている。
【０００７】
そして、上ベルト３２の連結具３４と背環３５の連結環３６、及び、下ベルト３３の連結環３３０３と底板側のダルマ環３７は着脱自在とされており、これにより、肩ベルト３１はランドセルの本体部に対して着脱自在とされている。
【０００８】
しかしながら、肩ベルトは一般的に、出荷の際に本体部に装着した状態とされており、ユーザー側において肩ベルトを取り外すことは実際には困難である。
【０００９】
その一方、小学生は成長が著しく、学年が進むにつれて体が大きくなり、また荷物も多く重くなるために、例えば、低学年の場合には荷物が少なく軽いために柔らかめの肩ベルトとし、高学年の場合には荷物が多く重くなるために丈夫な肩ベルトとする等、成長に合わせて、ユーザー側において容易に肩ベルトを交換することが望まれている。
【００１０】
また、肩ベルトはランドセルの中でも特に痛み易い部分であるために、小学校における６年間の間に修理や交換の必要が生じることが考えられるが、このとき、肩ベルトのみをメーカーに送ることができれば輸送費等の面からも好ましい。
【００１１】
しかしながら、前述のように、ランドセルは肩ベルトを本体部に装着した状態で販売されているとともに肩ベルトの取り外し作業は大変であり、ユーザー側において肩ベルトを取り外すことは実際には困難であるため、ユーザーが児童の成長に合わせて肩ベルトを交換することや、修理、交換の際に肩ベルトのみをメーカーに送ることは不可能であった。
【００１２】
【特許文献１】特開２００５−００７０４３号公報
【特許文献２】特開２００６−０２５９９８号公報
【発明の開示】
【発明が解決しようとする課題】
【００１３】
そこで、本発明は、肩ベルトを容易に着脱自在として、ユーザー側が容易に肩ベルトの交換を行うことを可能にしたスクールバッグを提供することを課題としている。
【課題を解決するための手段】
【００１４】
本発明のスクールバッグは、底板と該底板の両端部に上方向へ連設させた一対の大マチとで形成した胴部と、該胴部の背面側に取り付けた背板と、前記胴部の正面側に取り付けた前板とにより構成される、上部を開口とした本体部と、
該本体部に、前記開口を開閉可能に取り付けた蓋と、
前記本体部における背面側に着脱自在に取り付けた一対の肩ベルトと、を備えるスクールバッグであって、
前記背板の外側面における上方部分、及び前記底板の外側面のそれぞれには、１又は複数個の係止突起を突設させたプレートを具備しており、
前記一対の肩ベルトはそれぞれ、その両端部に、前記係止突起に係止可能な係止具を備え、
前記係止突起に前記係止具を係止することにより、前記肩ベルトを本体部対して着脱自在とした、ことを特徴としている。
【発明の効果】
【００１５】
本発明のスクールバッグでは、１又は複数個の係止突起を突設させたプレートを備え、このプレートを、背板の外側面における上方部分と、底板の外側面のそれぞれに装着するとともに、一対の肩ベルトのそれぞれの両端部には、前記プレートの係止突起に係止可能な係止具を備えている。そして、肩ベルトの両端に備えた係止具のそれぞれを、背板の外側面における上方部分と底板の外側面のそれぞれに装着したプレートにおける係止突起に係止することで肩ベルトを本体部に係止可能とし、肩ベルトの着脱を容易としている。
【００１６】
そのために、本発明のスクールバッグによれば、ユーザー側において肩ベルトの着脱が容易に行え、児童の成長や進級に合わせて、最適な肩ベルトをユーザー側において本体部に取付けることができ、また、肩ベルトの修理や交換の際には肩ベルトのみをメーカー側に送ることができる。
【発明を実施するための最良の形態】
【００１７】
本発明のスクールバッグでは、上部を開口とした箱型形状の本体部を有しており、即ち、この本体部は、底板とこの底板の両端にそれぞれ連設した左右の大マチとで構成される胴部と、この胴部の背面側に取り付けた背板と、胴部の正面側に取り付けた前板とにより構成されており、この本体部には、その開口を開閉可能な配置で蓋が取付けられている。
【００１８】
そして、本体部における前記背板の外側面における上方部分と、前記底板の外側面にはそれぞれ、１又は複数個の係止突起を突設させたプレートが装着されている。
【００１９】
一方、本発明のスクールバッグでは、一対の肩ベルトを具備しており、この一対の肩ベルトはそれぞれ、その両端部に、前記係止突起に係止可能な係止具を備えている。そして、肩ベルトの両端部分の係止具をそれぞれ、前記背板の外側面に装着したプレートにおける係止突起と底板の外側面に装着したプレートにおける係止突起に係止することで、肩ベルトを本体部に着脱自在に連結している。
【００２０】
ここで、前記係止突起に係止可能な係止具を両端部に備えたフックを、その係止具を前記背板の外側面に装着したプレートにおける係止突起に係止することで本体部に連結してもよく、これによれば、背負い鞄を机や壁等に吊すことが可能となるとともに、使用しない場合には容易に取り外すことができる。
【実施例１】
【００２１】
本実施例のスクールバッグの実施例について説明すると、図１は本実施例のスクールバッグを背面側から示すとともに構成部品の一部を分解して示した概略斜視図であり、また、図２は、本実施例のスクールバッグの本体部分を底面側から示した概略斜視図である。
【００２２】
そして、図において１が本実施例のスクールバッグであり、本実施例におけるスクールバッグ１は、一般的に用いられるスクールバッグと同様に、主収容部を構成する本体部２を有しており、この本体部２は、胴部３と、該胴部３の背面側に取り付けた背板４と、前記胴部３の正面側に取り付けた前板（図示せず）とで構成されており、上部を開口とした有底の箱型形状とされ、この本体部の内部に教科書等を収容可能としている。
【００２３】
そして、前記胴部３は、略長方形状の平板状の底板３０１と、この底板３０１の長手方向に向いた両端部に上方へ向けて連設した一対の大マチ３０２とで形成されている。
【００２４】
次に、前記背板４の上部には蓋６の一側部分が取り付けられており、この蓋６は、少なくとも、前記本体部２の上部開口を覆うことが可能な長さ寸法とされ、これにより、蓋６によって本体部の上部開口を開閉可能としている。
【００２５】
なお、図において７は背当部であり、本実施例において前記背板４の表面側には、クッション材を内包した背当て部７が縫い付けられている。但し、背当部７は必ずしも必要なものではない。
【００２６】
また、図において１６は胴前ポケットであり、本実施例においては、前記前板の正面側に胴前ポケット部１６を備えている。但し、この胴前ポケット１６は必ずしも必要なものではなく、これを備えない形態としてもよい。
【００２７】
次に、図において８はプレートである。即ち、本実施例のスクールバッグ１では、前記背板４の外側面における上部に、長板形状のプレート８を、背板４の幅方向に向けて装着しており、このプレート８には、長手方向に沿って、複数個の係止突起９が突設されている。
【００２８】
ここで、図２において、本実施例においては、前記背板４に装着したプレート８と同様の形状構造としたプレート８を底板３０１の外側面にも装着しており、これにより、プレート８に突設した係止突起９を介して、前記本体部２に肩ベルトを着脱自在としている。
【００２９】
即ち、図１において１０が肩ベルトであり、本実施例において前記肩ベルト１０は、一対個にするとともに、それぞれの両端には、前記係止突起９に係止可能な係止具１２を連結しており、上端側の係止具１２を前記背板４に装着したプレート８の係止突起９に係止し、下端側の係止具１２を底板３０１に装着したプレート８の係止突起９に係止することで、一対の肩ベルト１０のそれぞれを本体部２に装着可能としている。
【００３０】
ここで、前記肩ベルト１０について詳細に説明すると、図４は前記肩ベルト１０の分解正面図であり、本実施例において前記肩ベルト１０は、適宜の長さとしたベルト本体１１を有しており、このベルト本体１１は、上ベルト１１０１と、この上ベルト１１０１の下方に連設した下ベルト１１０２とを有しており、上ベルト１１０１の上端には更に連結片１１０３が連設され、ベルト本体１１の両端に係止具１２を連結して構成されている。
【００３１】
そして、前記係止具１２は、前記係止突起９が貫通しつつ係止される係止孔１２０１と、この係止孔１２０１に連通したガイド孔１２０２と、このガイド孔１２０２に連通した挿入孔１２０３を有しており、挿入孔１２０３に前記係止突起９を挿通した後に、係止突起９を、ガイド孔１２０２を通過させつつ係止孔１２０１に導き、これにより係止突起９に係止具１２を係止可能としている。
【００３２】
また、前記係止具１２は、前記ベルト本体１１を連結させる連結孔１２０４を有しており、図５に示すように、連結孔１２０４を通して、連結片１１０３又は下ベルト１１０２の下端部分を折り返し、更に折り返した部分を縫い付け、あるいはビス止めすることで、ベルト本体１１の両端部に係止具１２を連結可能としている。但し、ベルト本体１１と係止具１２との連結方法は必ずしもこの方法による必要は無く、ベルト本体１１の端部に係止具１２を連結可能な方法であればいずれの方法を採用してもよい。
【００３３】
なお、図２において１５は、前記蓋６を底板３０１側に係止するための鍵である。即ち、図２において、前記底板３０１側に装着したプレート８における中央部分には、鍵１５が回動自在に装着されている。そして、前記蓋６の下端部には下方向へ向けて連結片６０１が連設され、更に、この連結片６０１の先端部には、開口６０３が形成された係止金具６０２が装着されている。一方、前記鍵１５は前記開口６０３を貫通する寸法とされるとともに回動自在とされ、前記開口６０３内に鍵１５を挿通した後に鍵１５を回動することで、蓋６の先端部を底板３０１側に係止可能としている。
【００３４】
但し、必ずしもこのような機構で蓋６を固定する必要はなく、例えば、図３に示すように、蓋６の下方部分に本体部２側に向けて連結片６０４を連設し、一方、前記大マチ３０２には前記連結片６０１が挿通可能な挿通片３０３を装着して、連結片６０１で挿通片３０３を挿通することで蓋６を本体部２に係止してもよく、この場合には、前記鍵１５をプレート８に備える必要はないとともに、係止金具６０２を備える必要もない。
【００３５】
また、肩ベルトに関しても、必ずしも前述の形態に限定されるものではない。例えば、図６は、前記肩ベルトの他の構成例１３を示した図であり、図６に示す肩ベルト１３では、上ベルト１３０１と下ベルト１３０２を有しており、上ベルト１３０１にはベルト孔１３０３を形成するとともに上端に前記係止具１２を連結し、下ベル１３０２には上端部分に連結金具１３０４を連結するとともに下端部分に前記係止具１２を連結している。そして、これにより、係止具１２を介して、上ベルト１３０１を背板４側のプレート８に係止するとともに下ベルト１３０２を底板３０１側のプレート８に係止し、更に、連結金具１３０４を介して上ベルト１３０１と下ベルト１３０２とを連結可能にしており、連結金具１３０４のピン１３０５を挿通させるベルト孔１３０３の位置を変えることによってベルト全体の長さを調節可能としている。
【００３６】
次に、図１において１４はフックであり、このフック１４は、略逆Ｕ字状に変形させたフック本体１４０１と、このフック本体１４０１の両端に連結した前記係止具１２とで構成されており、係止具１２は前記肩ベルト１０の両端に連結した係止具１２と同様の形状としている。そしてこれにより、係止具１２を前記背板４の外側面に装着したプレート８における係止突起９に係止可能としている。
【００３７】
従って、本実施例のスクールバッグ１では、このフック１４を介してスクールバッグ１を机や壁に吊り下げることができるとともに、取り外しが容易であるために、使用しないときには容易に取り外しておくことができるという利点がある。但し、このフック１４は必ずしも必要なものではなく、これを備えなくてもよい。
【００３８】
次に、このように構成される本実施例のスクールバッグ１の作用について説明すると、本実施例におけるスクールバッグ１に肩ベルト１０を取付けるときには、肩ベルト１０の上端側の係止具１２を、図１に示すように肩ベルト１０の上端が下側に向くようにして、前述の方法により前記背板４の外側面に装着したプレート８における係止突起９に係止し、それとともに、下端側の係止具１２を、図１に示すように、肩ベルト１０の下端が本体部２側に向くようにして、前記底板３の外側面に装着したプレート８における係止突起９に、前述の方法により係止するのみでよく、取り付け及び取り外しが極めて容易である。
【００３９】
そのため、本実施例のスクールバッグによれば、児童の成長や進級に合わせて、最適な肩ベルトに交換したいと欲する場合にユーザー側において容易に交換することができ、また、肩ベルトの修理や交換の際には肩ベルトのみを取り外してメーカー側に送ることができる。
【００４０】
更にこのとき、本実施例においては、係止突起９を複数個備えているために、肩ベルト１０を連結する係止突起９の位置を変えることにより、児童の体格に合わせて肩ベルト１０の位置を調整することもできる。
【００４１】
また、肩ベルトと同様にフック１４に関しても、容易にこれを着脱することができるために、状況に応じて、容易に、フックを連結し、あるいは取り外すことが可能である。
【００４２】
なお、前記プレート８、係止突起９及び係止具１２の材質は特に限定されず、金属、樹脂等いずれでもよい。
【産業上の利用可能性】
【００４３】
本発明のスクールバッグは、肩ベルトの着脱を極めて容易にしてユーザー側において肩ベルトの着脱を可能にしたために、スクールバッグに限らず、背負い鞄の全般に適用可能である。
【図面の簡単な説明】
【００４４】
【図１】本発明のスクールバッグの実施例を背面側から見た斜視図である。
【図２】本発明のスクールバッグの実施例を底面側から見た斜視図である。
【図３】本発明のスクールバッグの実施例における蓋の他の形態を説明するための図である。
【図４】本発明のスクールバッグの実施例における肩ベルトを説明するための図である。
【図５】本発明のスクールバッグの実施例における肩ベルトを説明するための図である。
【図６】本発明のスクールバッグの実施例における肩ベルトの他の形態を説明するための図である。
【図７】従来の肩ベルトを説明するための図である。
【図８】従来の肩ベルトの装着方法を説明するための図であり背環を示している。
【図９】従来の肩ベルトの装着方法を説明するための図でありランドセルの底面を示している。
【符号の説明】
【００４５】
１    スクールバッグ
２    本体部
３    胴部
３０１    底板
３０２    大マチ
３０３    係止部
４    背板
５    前板
６    蓋
６０１    連結片
６０２    係止金具
６０３    開口
６０４    連結片
７    背当て
８    プレート
９    係止突起
１０    肩ベルト
１１    ベルト本体
１１０１    上ベルト
１１０２    下ベルト
１１０３    上ベルトの連結片
１２    係止具
１２０１    係止孔
１２０２    ガイド孔
１２０３    挿入孔
１２０４    連結孔
１３    肩ベルトの他の構成例
１３０１    上ベルト
１３０２    下ベルト
１３０３    ベルト孔
１３０４    連結金具
１３０５    ピン
１４    フック
１５    鍵
１６    胴前ポケット
【図１】
2008036091.tif 000003
【図２】
2008036091.tif 000004
【図３】
2008036091.tif 000005
【図４】
2008036091.tif 000006
【図５】
2008036091.tif 000007
【図６】
2008036091.tif 000008
【図７】
2008036091.tif 000009
【図８】
2008036091.tif 000010
【図９】
2008036091.tif 000011